(57)【要約】【課題】簡単な構成でありながら、スタンドをがたつくことなく精度よく支持金具に固定できる電子機器を得ることにある。【解決手段】電子機器は、筐体に設けられた支持金具と、支持金具を介して筐体を支持するスタンドと、を具備する。支持金具は、ストッパ部と、ストッパ部に開口された一対の開口部の縁から支持面の上に突出された一対のガイド片と、を含む。スタンドは、曲げ加工された金属製のスタンドブラケットを有する。スタンドブラケットは、支持面に固定された連結部と、連結部の両側部から互いに向かい合うように折り曲げられた一対の側壁と、連結部と側壁とで規定される角部に対応した位置でスタンドブラケットの先端縁から盛り上がる膨出部と、を含む。スタンドブラケットの先端縁は、ガイド片の間でストッパ部に突き当たるとともに、スタンドブラケットの膨出部が開口部に位置されている。【選択図】図１１
2014155060.tif 000002
【特許請求の範囲】
【請求項１】
筐体と、
前記筐体に設けられた支持金具と、
前記支持金具を介して前記筐体を支持するスタンドと、を具備した電子機器であって、
前記支持金具は、
支持面から起立されたストッパ部と、
前記ストッパ部を部分的に切り起こすことにより形成され、前記ストッパ部に開口された一対の開口部の縁から前記支持面の上に突出するとともに、互いに間隔を存して並んだ一対のガイド片と、を含み、
前記スタンドは、曲げ加工された金属板で構成されるとともに前記支持金具に固定されたスタンドブラケットを有し、前記スタンドブラケットは、前記支持金具の前記支持面に固定された連結部と、前記連結部の両側部から互いに向かい合うように折り曲げられた一対の側壁と、前記連結部と前記側壁とで規定される角部に対応した位置で前記スタンドブラケットの先端縁から盛り上がる膨出部と、を含み、前記スタンドブラケットの前記先端縁は、前記支持金具の前記ガイド片の間で前記ストッパ部に突き当てられるとともに、前記スタンドブラケットの前記先端縁を前記ストッパ部に突き当てた状態では、前記膨出部が前記ストッパ部の前記開口部に位置された電子機器。
【請求項２】
請求項１に記載の電子機器において、前記ガイド片は、前記支持面に面するような向きで前記ストッパ部から切り起こされているとともに、前記ガイド片の縁部が前記スタンドブラケットの前記側壁と向かい合う電子機器。
【請求項３】
請求項２に記載の電子機器において、前記ガイド片の前記縁部は、前記ストッパ部から離れた先端部を有し、当該先端部が互いに遠ざかる方向に傾斜された電子機器。
【請求項４】
請求項１ないし請求項３のいずれか一項に記載の電子機器において、前記スタンドブラケットの前記連結部は、前記スタンドブラケットの前記先端縁を前記ストッパ部に突き当てた状態で前記支持金具の前記支持面に固定された電子機器。
【請求項５】
請求項４に記載の電子機器において、前記支持金具は、互いに向かい合うように前記支持面から立ち上がる一対の挟持片を有し、前記スタンドブラケットが前記挟持片の間に介在された電子機器。
【請求項６】
請求項５に記載の電子機器において、前記挟持片は、前記ストッパ部の反対側に位置された端部を有し、当該端部が互いに遠ざかる方向に傾斜された電子機器。
【請求項７】
請求項１に記載の電子機器において、前記スタンドブラケットの前記側壁は、前記ストッパ部と向かい合う端部に前記連結部に近づくように傾斜されたテーパ部を有する電子機器。
【請求項８】
請求項１に記載の電子機器において、前記支持金具の前記ストッパ部は、前記ガイド片の間に位置するように前記ストッパ部から切り起こされた係合片を有し、前記スタンドブラケットの前記先端縁を前記ストッパ部に突き当てた時に、前記スタンドブラケットの前記連結部の端が前記係合片と前記支持金具の前記支持面との間に介在された電子機器。
【請求項９】
請求項８に記載の電子機器において、前記係合片は、前記支持面と交差する向きで前記ストッパ部から切り起こされているとともに、前記係合片の縁部が前記スタンドブラケットの前記連結部と向かい合う電子機器。
【請求項１０】
請求項１に記載の電子機器において、前記ストッパ部に設けられたケーブルホルダーをさらに備えており、前記ケーブルホルダーは、前記筐体内の基板から前記筐体の外に導かれたケーブルを保持するように構成された電子機器。
【請求項１１】
請求項１０に記載の電子機器において、前記ケーブルホルダーは、単一のねじが挿入された第１の端部と、突起が形成された第２の端部と、を有し、
前記ストッパ部は、前記ねじがねじ込まれるねじ孔と、前記突起が嵌り込む嵌合孔と、を有し、
前記ケーブルホルダーの前記突起を前記ストッパ部の前記嵌合孔に嵌め込んだ状態で前記第１の端部に挿入された前記ねじを前記ねじ孔にねじ込むことで、前記ケーブルホルダーが前記ストッパ部に保持された電子機器。
【請求項１２】
筐体に設けられた支持金具と、
前記支持金具に連結されたブラケットと、を具備した電子機器であって、
前記支持金具は、前記ブラケットが固定される支持面と、開口部が形成されたストッパ部と、を有し、
前記スタンドブラケットは、曲げ加工された金属板で構成されるとともに、前記ストッパ部に突き当てられる先端縁に当該先端縁から盛り上がる膨出部を有し、前記ブラケットの前記先端縁を前記ストッパ部に突き当てた状態では、前記膨出部が前記ストッパ部の前記開口部に位置された電子機器。
【請求項１３】
請求項１２に記載の電子機器において、前記支持金具は、前記ストッパ部と交差する方向に延びる支持面を有し、前記ブラケットは、前記先端縁を前記ストッパ部に突き当てた状態で前記支持面に固定された電子機器。
【請求項１４】
表示用のパネルが収容された筐体と、
前記筐体に設けられた支持金具と、
前記支持金具に連結されたスタンドブラケットを含み、前記筐体を起立した姿勢に保持するスタンドと、を具備した表示装置であって、
前記支持金具は、前記スタンドブラケットが固定される支持面と、前記支持面から起立されるとともに開口部が形成されたストッパ部と、を有し、
前記スタンドブラケットは、曲げ加工された金属板で構成されるとともに、前記ストッパ部に突き当てられる先端縁に当該先端縁から盛り上がる膨出部を有し、前記スタンドブラケットの前記先端縁を前記ストッパ部に突き当てた状態では、前記膨出部が前記ストッパ部の前記開口部に位置された表示装置。
【発明の詳細な説明】
【技術分野】
【０００１】
本発明の実施形態は、電子機器および表示装置に関する。
【背景技術】
【０００２】
例えば液晶テレビのような電子機器は、液晶パネルを収容した筐体と、筐体を起立した姿勢に保持するスタンドと、を備えている。スタンドは、筐体内に固定された支持金具にねじで固定されている。
【先行技術文献】
【特許文献】
【０００３】
【特許文献１】実用新案登録第３０９２５３９号公報
【発明の概要】
【発明が解決しようとする課題】
【０００４】
スタンドを支持金具に固定する時に、スタンドが傾いたり、あるいはスタンドと支持金具との間でがたつきが生じると、スタンドを支持金具に対し精度よく固定することが困難となる。
【０００５】
本発明の目的は、簡単な構成でありながら、スタンドをがたつくことなく精度よく支持金具に固定できる電子機器を得ることにある。
【課題を解決するための手段】
【０００６】
実施形態によれば、電子機器は、筐体に設けられた支持金具と、前記支持金具を介して前記筐体を支持するスタンドと、を具備する。
【０００７】
前記支持金具は、支持面を有する金具本体と、前記支持面から起立されたストッパ部と、前記ストッパ部を部分的に切り起こすことにより形成され、前記ストッパ部に開口された一対の開口部の縁から前記支持面の上に突出するとともに、互いに間隔を存して並んだ一対のガイド片と、を含んでいる。
【０００８】
前記スタンドは、前記支持金具に固定されたスタンドブラケットを有する。前記スタンドブラケットは、曲げ加工された金属板で構成されている。前記スタンドブラケットは、前記支持金具の前記支持面に固定された連結部と、前記連結部の両側部から互いに向かい合うように折り曲げられた一対の側壁と、前記連結部と前記側壁とで規定される角部に対応した位置で前記スタンドブラケットの先端縁から盛り上がる膨出部と、を含んでいる。前記スタンドブラケットの前記先端縁は、前記支持金具の前記ガイド片の間で前記ストッパ部に突き当てられるとともに、前記スタンドブラケットの前記先端縁を前記ストッパ部に突き当てた状態では、前記膨出部が前記ストッパ部の前記開口部に位置されている。
【図面の簡単な説明】
【０００９】
【図１】（Ａ）は、液晶テレビの正面図。（Ｂ）は、液晶テレビの側面図。
【図２】ユニットカバーを取り外して、支持金具とスタンドブラケットとの連結箇所を露出させた状態を示す液晶テレビの背面図。
【図３】ユニットカバーを取り外した液晶テレビの側面図。
【図４】バックベゼルに取り付けられた支持金具の斜視図。
【図５】支持金具のストッパ部の箇所を拡大して示す斜視図。
【図６】支持金具のストッパ部にケーブルホルダーを固定した状態を示す斜視図。
【図７】支持金具のストッパ部に取り付けられたケーブルホルダーの斜視図。
【図８】スタンドブラケットを支持金具の支持面の上に導いた状態を示す斜視図。
【図９】スタンドブラケットを支持金具に固定した状態を示す斜視図。
【図１０】スタンドブラケットを支持金具の支持面の上に導いた状態を示す断面図。
【図１１】スタンドブラケットの先端縁を支持金具のストッパ部に突き当てた時の膨出部と開口部との相対的な位置関係を示す断面図。
【図１２】ユニットカバーの斜視図。
【図１３】ユニットカバーのスタンド挿入口にスタンドブラケットを挿入する状態を示す斜視図。
【図１４】ユニットカバーのスリットとスタンドブラケットとの位置関係を示す平面図。
【図１５】ユニットカバーのスリットから電源ケーブルが引き出された状態を示す斜視図。
【発明を実施するための形態】
【００１０】
以下、実施形態について、図面を参照して説明する。
【００１１】
図１は、一つの実施形態に係る液晶テレビ１を開示している。液晶テレビ１は、電子機器又は表示装置の一例である。液晶テレビ１は、卓上スタンド２およびテレビ本体３を備えている。卓上スタンド２は、例えばテレビ台の設置面４の上に据え付けられる。テレビ本体３は、設置面４の上で起立するように卓上スタンド２に支持されている。
【００１２】
図１ないし図３に示すように、テレビ本体３は、筐体５、液晶パネル６およびユニットカバー７を含んでいる。筐体５は、例えば偏平な四角い箱形の形状を有している。筐体５は、フロントベゼル８およびバックベゼル９を備えている。フロントベゼル８およびバックベゼル９は、例えばＡＢＳ樹脂のような合成樹脂材料で構成されている。
【００１３】
フロントベゼル８は、第１のカバーと言い換えることができる。フロントベゼル８は、第１ないし第４の縁部１１ａ，１１ｂ，１１ｃ，１１ｄを有する横長の枠状である。第１ないし第４の縁部１１ａ，１１ｂ，１１ｃ，１１ｄは、互いに協働して四角い開口部１２を規定している。
【００１４】
バックベゼル９は、第２のカバーと言い換えることができる。バックベゼル９は、フロントベゼル８を背後から覆うようにフロントベゼル８に組み合わされている。
【００１５】
液晶パネル６は、液晶層を有するパネル本体、偏光板および保護シート等を積層した偏平な四角い板である。液晶パネル６は、フロントベゼル８とバックベゼル９との間に収容されている。液晶パネル６は、映像を映し出す画面１３を有している。画面１３は、フロントベゼル８の開口部１２から筐体５の外に露出されている。
【００１６】
さらに、バックライトモジュール１５が液晶パネル６とバックベゼル９との間に配置されている。バックライトモジュール１５は、例えば複数の発光ダイオード、導光板およびヒートシンク等を備えている。発光ダイオードから放射された光は、例えば導光板の一側から導光板に入射される。導光板に入射された光は、導光板の内部で反射を繰り返した後に、導光板の表面から液晶パネル６に向かう。
【００１７】
したがって、バックライトモジュール１５から液晶パネル６に向けて光が照射され、液晶パネル６の画面１３に表示された映像の視認性が高まる。
【００１８】
図２に示すように、バックベゼル９の背面の大部分は、ノイズ対策用のシールド板１６で覆われている。シールド板１６の左半部の上に電源基板１７が取り付けられている。電源ケーブル１９が電源基板１７に実装された電源コネクタ１８に接続されている。電源ケーブル１９は、電源基板１７からバックベゼル９の背面の中央部に導かれている。
【００１９】
シールド板１６の右半部の上にメイン基板２１が取り付けられている。さらに、シールド板１６から外れたバックベゼル９の背面の中央部に駆動基板２２が取り付けられている。電源基板１７、メイン基板２１および駆動基板２２は、液晶パネル６の駆動を司る要素である。
【００２０】
図２ないし図４に示すように、支持金具２４が筐体５の下端の幅方向に沿う中央部に取り付けられている。支持金具２４は、例えば曲げ加工された金属板で構成されている。支持金具２４は、バックベゼル９の背面と平行となるように、その周縁部の複数個所がフロントベゼル８およびバックベゼル９にねじ止め等の手段で固定されている。本実施形態の支持金具２４は、バックベゼル９の幅方向に延びる横長の形状を有している。
【００２１】
支持金具２４は、補強用の凹部２５が設けられた一対の領域２６ａ，２６ｂと、これら領域２６ａ，２６ｂの間に位置されたフラットな支持面２７と、を有している。支持面２７は、バックベゼル９の高さ方向に沿って延びている。一対のナット２８ａ，２８ｂが支持面２７に埋め込まれている。ナット２８ａ，２８ｂは、バックベゼル９の高さ方向に互いに離れている。
【００２２】
図４ないし図９に示すように、支持金具２４は、その上縁にフランジ部３０を有している。フランジ部３０は、支持金具２４の上端部をバックベゼル９から遠ざかる方向に直角に折り曲げることで構成されている。フランジ部３０は、支持金具２４を補強するリブとして機能している。
【００２３】
フランジ部３０の中央部にストッパ部３１が設けられている。ストッパ部３１は、支持面２７に対する位置で支持面２７と直交する方向に起立されている。ストッパ部３１は、バックベゼル９の幅方向に沿う横長の形状を有している。
【００２４】
図５、図１０および図１１に示すように、一対のガイド片３２ａ，３２ｂおよび係合片３３がストッパ部３１に形成されている。ガイド片３２ａ，３２ｂは、ストッパ部３１の長手方向に離間した二か所を切り起こすことにより形成されている。
【００２５】
言い換えると、ガイド片３２ａ，３２ｂは、ストッパ部３１に開口された一対の開口部３４ａ，３４ｂの縁から支持面２７の上に突出されているとともに、ストッパ部３１の長手方向に互いに間隔を存して並んでいる。
【００２６】
さらに、本実施形態によると、ガイド片３２ａ，３２ｂは、支持面２７に面するような向きでストッパ部３１から切り起こされている。そのため、ガイド片３２ａ，３２ｂは、夫々支持面２７の上で向かい合う縁部３５を有している。縁部３５は、ストッパ部３１から遠ざかる方向に直線状に延びている。ストッパ部３１から離れた縁部３５の先端部には、互いに遠ざかる方向に傾斜されたテーパ部３６が形成されている。
【００２７】
係合片３３は、ガイド片３２ａ，３２ｂの間に位置されたストッパ部３１の中間部を切り起こすことにより形成されている。係合片３３は、ストッパ部３１の中間部に開口された開口部３８の縁から支持面２７の上に突出されて、ガイド片３２ａ，３２ｂの間に位置されている。
【００２８】
本実施形態によると、係合片３２は、支持面２７と直交するような向きでストッパ部３１から切り起こされている。そのため、係合片３３は、支持面２７と向かい合う縁部３９を有している。縁部３９は、ストッパ部３１から遠ざかる方向に直線状に延びている。
【００２９】
図４および図７に示すように、支持金具２４は、支持面２７から立ち上がる一対の挟持片４０ａ，４０ｂを有している。挟持片４０ａ，４０ｂは、支持金具２４の第１の領域２６ａおよび第２の領域２６ｂを部分的に切り起こすことにより構成されている。
【００３０】
挟持片４０ａ，４０ｂは、ストッパ部３１の下方に位置されているとともに、支持面２７を間に挟んで向かい合っている。挟持片４０ａ，４０ｂの間の間隔は、ガイド片３２ａ，３２ｂの縁部３５の間の間隔と略一致している。
【００３１】
本実施形態では、挟持片４０ａ，４０ｂの間に支持面２７に受け込まれた一方のナット２８ａが位置されている。さらに、挟持片４０ａ，４０ｂは、ストッパ部３０の反対側に位置された下端部４１を有している。下端部４１は、互いに遠ざかる方向に傾斜されている。
【００３２】
図４、図６および図７に示すように、ケーブルホルダー４２が支持金具２４のストッパ部３１に取り付けられている。ケーブルホルダー４２は、例えば曲げ加工された金属板で構成されている。ケーブルホルダー４２は、ストッパ部３１の上に重ねられたベース部４３と、ベース部４３の一端から斜め上向きに突出されたケーブル保持部４４とを備えている。
【００３３】
ベース部４３は、単一のねじ４５が挿入された第１の端部４６ａと、突起４７が形成された第２の端部４６ｂと、を有している。第１の端部４６ａおよび第２の端部４６ｂは、ストッパ部３１の長手方向に互いに離れている。突起４７は、板金プレス加工によりベース部４３に一体に形成されている。
【００３４】
図５および図６に示すように、ストッパ部３１は、ねじ４５がねじ込まれるねじ孔４８と、突起４７が嵌り込む嵌合孔４９と、を有している。ケーブルホルダー４２のベース部４３は、突起４７を嵌合孔４９に嵌め込んだ状態で、第１の端部４６ａを貫通したねじ４５をねじ孔４８にねじ込むことで、ストッパ部３１の上に固定されている。
【００３５】
図７に示すように、ケーブル保持部４４は、ベース部４３の上に張り出している。ケーブル保持部４４は、その先端縁に開口された凹部５１を有している。凹部５１は、樹脂又はゴムで形成された筒状のケーブルガイド（図示せず）を保持している。電源基板１７から引き出された電源ケーブル１９は、ケーブルガイドを貫通することでケーブルホルダー４２に保持されている。
【００３６】
前記ユニットカバー７は、第３のカバーの一例であって、例えばＡＢＳ樹脂のような合成樹脂材料で構成されている。ユニットカバー７は、バックベゼル９を背後から覆うようにフロントベゼル８およびバックベゼル９に組み付けられている。そのため、シールド板１６、電源基板１７、メイン基板２１、駆動基板２２および支持金具２４は、ユニットカバー７によって覆い隠されている。よって、ユニットカバー７は、筐体５を構成する要素の一部であるということができる。
【００３７】
図１２ないし図１４に示すように、ユニットカバー７は、後壁５３および下壁５４を有している。後壁５３の下端の幅方向に沿う中央部にスリット５５が形成されている。スリット５５は、ユニットカバー７の高さ方向に延びているとともに、支持金具２４の支持面２７および支持面２７に埋め込まれたナット２８ａ，２８ｂと向かい合っている。
【００３８】
さらに、ユニットカバー７の下壁５４にスタンド挿入口５６が形成されている。スタンド挿入口５６は、スリット５５の下端に連続するとともに、支持金具２４の支持面２７と同等の開口幅を有している。このため、支持面２７の下端部は、スタンド挿入口５６からユニットカバー７の外に露出されている。
【００３９】
図１４および図１５に示すように、スリット５５の上端部は、ストッパ部３１に固定されたケーブルホルダー４２と向かい合っている。ケーブルホルダー４２にケーブルガイドを介して保持された電源ケーブル１９は、スリット５５の上端部からテレビ本体３の外に引き出されている。
【００４０】
図１に示すように、液晶テレビ１の卓上スタンド２は、台座６０、脚６１およびスタンドブラケット６２を備えている。台座６０は、設置面４の上に置かれる要素である。脚６１は、台座６０の上面から上向きに突出されている。スタンドブラケット６２は、脚６１の上端に連結されている。
【００４１】
スタンドブラケット６２は、ユニットカバー７のスタンド挿入口５６からユニットカバー７の内側に挿入されて、支持金具２４の支持面２７に連結されている。
【００４２】
具体的に述べると、図８および図９に示すように、スタンドブラケット６２は、曲げ加工された金属板で構成されている。スタンドブラケット６２は、連結部６３および一対の側壁６４ａ，６４ｂを有している。
【００４３】
連結部６３は、支持金具２４の支持面２７に沿うように脚６１の上端から上向きに延びている。連結部６３は、支持面２７に接するフラットな背面６５と、一対の通孔６６ａ，６６ｂと、を有している。通孔６６ａ，６６ｂは、ナット２８ａ，２８ｂに合致するように連結部６３の長手方向に間隔を存して並んでいる。
【００４４】
図８および図９に示すように、側壁６４ａ，６４ｂは、連結部６３の両側部から同方向に略直角に折り曲げられて、連結部６３を間に挟んで向かい合っている。このため、スタンドブラケット６２の上端に位置された先端縁６２ａは、連結部６３および側壁６４ａ，６４ｂに跨るような形状を有している。
【００４５】
さらに、スタンドブラケット６２の側壁６４ａ，６４ｂは、支持金具２４のストッパ部３１と向かい合う端部６７を有している。側壁６４ａ，６４ｂの端部６７では、連結部６３に対する突出高さがストッパ部３１に向けて次第に減じられている。このため、端部６７の縁は、ストッパ部３１の方向に進むに従い連結部６３に近づくように傾斜されたテーパ部６８を構成している。
【００４６】
スタンドブラケット６２は、その先端縁６２ａをストッパ部３１に突き当てた状態で支持面２７に固定されている。先端縁６２ａをストッパ部３１に突き当てた状態では、側壁６４ａ，６４ｂの端部６７がガイド片３２ａ，３２ｂの間に介在されているとともに、側壁６４ａ，６４ｂの中間部が挟持片４０ａ，４０ｂの間に介在されている。
【００４７】
さらに、スタンドブラケット６２の連結部６３の先端が係合片３３の縁部３９と支持面２７との間に入り込んでいる。係合片３３は、スタンドブラケット６２の連結部６３の先端が支持面２７から浮き上がらないように連結部６３を押さえている。
【００４８】
スタンドブラケット６２の連結部６３の背面６５は、支持金具２４の支持面２７に重ね合わされている。スタンドブラケット６２の連結部６３は、スタンドブラケット６２の先端縁６２ａをストッパ部３１に突き当てた状態で、一対のねじ７０ａ，７０ｂを介して支持面２７に固定されている。ねじ７０ａ，７０ｂは、連結部６３の通孔６６ａ，６６ｂを貫通してナット２８ａ，２８ｂにねじ込まれている。
【００４９】
一方、スタンドブラケット６２を曲げ加工された金属板で構成した場合、スタンドブラケット６２の先端縁６２ａのうち、連結部６３と側壁６４ａ，６４ｂとで角部に対応した位置に肉が盛り上がるような現象が生じるのを避けられない。
【００５０】
具体的には、図１０および図１１に示すように、スタンドブラケット６２の先端縁６２ａに、当該先端縁６２ａから盛り上がる膨出部７１が形成される。膨出部７１は、スタンドブラケット６２の先端縁６２ａをストッパ部３１に突き当てた時に、ガイド片３２ａ，３２ｂを切り起こした後に残った開口部３４ａ，３４ｂの内側に位置される。この結果、金属板を曲げ加工した時にスタンドブラケット６２の先端縁６２ａに発生する膨出部７１を開口部３４ａ，３４ｂで逃げることができる。
【００５１】
次に、卓上スタンド２を筐体５の支持金具２４に固定する手順について説明する。
【００５２】
図１３に示すように、スタンドブラケット６２の先端縁６２ａがユニットカバー７のスタンド挿入口５６を指向するようにスタンドブラケット６２を把持した後、スタンドブラケット６２の先端縁６２ａをスタンド挿入口５６に挿入する。
【００５３】
この際、先端縁６２ａと隣り合う側壁６４ａ，６４ｂの端部６７は、テーパ部６８を有するので、スタンドブラケット６２がスタンド挿入口５６に向けて先細り状に形成されている。
【００５４】
この結果、スタンドブラケット６２をスタンド挿入口５６に挿入する際に、スタンドブラケット６２がスタンド挿入口５６の縁に干渉し難くなる。よって、スタンドブラケット６２をスタンド挿入口５６に容易に挿入することができる。
【００５５】
スタンドブラケット６２をスタンド挿入口５６に押し込んでいくと、スタンドブラケット６２が挟持片４０ａ，４０ｂの間を通って支持面２７の上に導かれるとともに、スタンドブラケット６２の先端縁６２ａがガイド片３２ａ，３２ｂの間に入り込む。
【００５６】
挟持片４０ａ，４０ｂの下端部４１は、互いに遠ざかる方向に傾斜されているので、挟持片４０ａ，４０ｂの下端部４１の間の間口が拡張されている。このため、スタンドブラケット６２の先端縁６２ａは、下端部４１をガイドとして挟持片４０ａ，４０ｂの間に円滑に導かれる。
【００５７】
同様に、ガイド片３２ａ，３２ｂにしても、テーパ部３６の存在によりガイド片３２ａ，３２ｂの縁部３５の間の間口が拡張されている。このため、スタンドブラケット６２の先端縁６２ａは、テーパ部３６をガイドとしてガイド片３２ａ，３２ｂの間に円滑に導かれる。
【００５８】
したがって、スタンドブラケット６２は、支持面２７の上で挟持片４０ａ，４０ｂおよびガイド片３２ａ，３２ｂによって挟持され、支持金具２４の幅方向に沿うスタンドブラケット６２の位置決めがなされる。
【００５９】
スタンドブラケット６２をさらに押し込んでいくと、スタンドブラケット６２の先端縁６２ａが支持金具２４のストッパ部３１に突き当たる。それとともに、スタンドブラケット６２の連結部６３の先端が係合片３３の縁部３９と支持面２７との間に入り込み、連結部６３が支持面２７から浮き上がらないように支持面２７の上に押え込まれる。
【００６０】
これにより、支持金具２４の高さ方向に沿うスタンドブラケット６２の位置が定まり、スタンドブラケット６２の連結部６３に開けた通孔６６ａ，６６ｂが支持面２７に埋め込まれたナット２８ａ，２８ｂと合致する。
【００６１】
この後、ねじ７０ａ，７０ｂをユニットカバー７のスリット５５を通じて通孔６６ａ，６６ｂに挿入して締め付ける。この結果、ねじ７０ａ，７０ｂがナット２８ａ，２８ｂにねじ込まれて、連結部６３の背面６５が支持面２７に押し付けられる。よって、スタンドブラケット６２が支持金具２４に固定され、卓上スタンド２の取り付けが完了する。
【００６２】
本実施形態によると、スタンドブラケット６２の先端縁６２ａが支持金具２４のストッパ部３１に突き当たった状態では、先端縁６２ａから盛り上がった膨出部７１がストッパ部３１の開口部３４ａ，３４ｂ内に入り込んでいる。このため、開口部３４ａ，３４ｂを利用して盛り上がった膨出部７１を逃げることができ、膨出部７１がストッパ部３１と干渉し合うのを回避できる。
【００６３】
したがって、スタンドブラケット６２の先端縁６２ａを精度よくストッパ部３１に突き当てることができ、スタンドブラケット６２をストッパ部３１に突き当てた時のスタンドブラケット６２の傾きやがたつきを解消することができる。
【００６４】
よって、ストッパ部３１に孔を開けるだけの簡単な構成で、卓上スタンド２をがたつくことなく精度よく支持金具２４に固定することができる。
【００６５】
しかも、膨出部７１を逃げる開口部３４ａ，３４ｂは、ガイド片３２ａ，３２ｂをストッパ部３１から切り起こした後に残った要素であるから、ストッパ部３１に膨出部７１を避ける専用の孔を開ける必要はない。この結果、作業工数を削減してコストを低減できるとともに、ストッパ部３１の強度も十分に確保できる。
【００６６】
加えて、スタンドブラケット６２を挟み込むガイド片３２ａ，３２ｂは、支持面２７に面するような向きでストッパ部３１から切り起こされている。このため、スタンドブラケット６２がガイド片３２ａ，３２ｂの間に挿入された時点では、ガイド片３２ａ，３２ｂの縁部３５がスタンドブラケット６２の側壁６４ａ，６４ｂに接触する。
【００６７】
言い換えると、ガイド片３２ａ，３２ｂの縁部３５は、ガイド片３２ａ，３２ｂの切り起こし方向とは略直交する方向から側壁６４ａ，６４ｂに接触する。そのため、ガイド片３２ａ，３２ｂが側壁６４ａ，６４ｂとの接触に伴って開口部３４ａ，３４ｂに入り込む方向に変形するのを防止でき、ガイド片３２ａ，３２ｂの強度を十分に確保できる。
【００６８】
さらに、スタンドブラケット６２の連結部６３の先端を支持面２７との間で挟み込む係合片３３は、支持面２７に対し直交するような向きでストッパ部３１から切り起こされている。このため、連結部６３の先端が係合片３３と支持面２７との間に挿入された時点では、係合片３３の縁部３９が連結部６３に接触する。
【００６９】
すなわち、係合片３３の縁部３９は、係合片３３の切り起こし方向とは略直交する方向から連結部６３に接触する。そのため、係合片３３が連結部６３との接触に伴って開口部３８に入り込む方向に変形するのを防止でき、係合片３３の強度を十分に確保できる。
【００７０】
実施形態に係る電子機器は、液晶テレビに特定されるものではなく、例えばパーソナルコンピュータのモニターであって同様に実施可能である。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
２…スタンド（卓上スタンド）、５…筐体、６…パネル（液晶パネル）、２４…支持金具、２７…支持面、３１…ストッパ部、３２ａ，３２ｂ…ガイド片、３４ａ，３４ｂ…開口部、６２…スタンドブラケット、６２ａ…先端縁、６３…連結部、６４ａ，６４ｂ…側壁、７１…膨出部。
【図１】
2014155060.tif 000003
【図２】
2014155060.tif 000004
【図３】
2014155060.tif 000005
【図４】
2014155060.tif 000006
【図５】
2014155060.tif 000007
【図６】
2014155060.tif 000008
【図７】
2014155060.tif 000009
【図８】
2014155060.tif 000010
【図９】
2014155060.tif 000011
【図１０】
2014155060.tif 000012
【図１１】
2014155060.tif 000013
【図１２】
2014155060.tif 000014
【図１３】
2014155060.tif 000015
【図１４】
2014155060.tif 000016
【図１５】
2014155060.tif 000017